(57)【要約】【課題】ルーバを器具本体に仮吊する紐体が見えることによる外観の悪化を防止でき、且つ製造コストの増加を抑えることができる照明器具を提供することである。【解決手段】照明器具１は、ランプ点灯用の電子部品を備える器具本体２と、遮光板５１を有してランプより器具本体２の下面側に取り付けられるルーバ５と、ルーバ５と器具本体２とを連結する仮吊り用の紐体６とを備え、紐体６の一端が連結される第１連結部４ｂと紐体６の他端が連結される第２連結部５１ａは、鉛直方向で互いに対向しないようにして器具本体２とルーバ５にそれぞれ設けられ、ルーバ５は、器具本体２の下面側から紐体６を直視できないように隠蔽する反射部材５０を有し、紐体６は、ルーバ５を器具本体２に取り付けた状態において、第１連結部４ｂと第２連結部５１ａとを結ぶ直線に沿うような形で第１連結部４ｂと第２連結部５１ａ間に架設されている。【選択図】図１
2008059939.tif 000002
【特許請求の範囲】
【請求項１】
ランプ点灯用の電子部品を備える器具本体と、器具本体の一面側に配置されるランプの長手方向と直交するとともに前記長手方向に所定間隔で複数配置される遮光板を有して前記ランプより前記器具本体の一面側に取り付けられるルーバと、該ルーバと前記器具本体とを連結する仮吊り用の紐体とを備え、前記紐体の一端が連結される第１連結部と前記紐体の他端が連結される第２連結部は、鉛直方向で互いに対向しないようにして器具本体とルーバにそれぞれ設けられ、前記ルーバは、前記器具本体の一面側から前記紐体を直視できないように隠蔽する隠蔽部を有し、前記紐体は、ルーバを器具本体に取り付けた状態において、第１連結部と第２連結部とを結ぶ直線に沿うような形で第１連結部と第２連結部間に架設されていることを特徴とする照明器具。
【請求項２】
前記ルーバは、器具本体の一面側にいくにつれて狭幅となるＶ字状に形成され、器具本体の一面側に取り付けられて前記ランプが放射する光を前記器具本体の一面側に反射する反射部材と、該反射部材に設けられる前記遮光板とを備え、前記反射部材が前記隠蔽部として用いられていることを特徴とする請求項１に記載の照明器具。
【請求項３】
前記ルーバは、前記ランプを前記器具本体の一面側に臨ませる開口部を有し、前記ランプより前記器具本体の一面側に取り付けられる枠体と、該枠体の開口部内に設けられる前記遮光板とを備え、前記枠体が前記隠蔽部として用いられていることを特徴とする請求項１に記載の照明器具。
【請求項４】
前記枠体は長方形状に形成され、前記枠体の短手方向の両片部が、それぞれ前記隠蔽部として用いられていることを特徴とする請求項３に記載の照明器具。
【発明の詳細な説明】
【技術分野】
【０００１】
本発明は、ルーバを備える照明器具に関する。
【背景技術】
【０００２】
従来から、直管型蛍光ランプ等のランプを用いた照明器具に、ランプのグレア（眩しさ）の低減や、ランプを直視した際の視覚低下を防止するために、ルーバを設けることが行われている。
【０００３】
このような照明器具１００としては、図７〜図９に示すように、一面（図７（ａ），（ｂ）における下面）が開口し他面（図７（ａ），（ｂ）における上面）側にランプ点灯用の電子部品を備え、天井面ＣＢに埋め込み設置される器具本体１１０と、器具本体１１０の一面側に配置される２本のランプが放射する光を器具本体１１０の一面側へ反射するＶ字型反射板からなる反射部材１２１、及び反射部材１２１に固定されてランプの長手方向（図７（ａ）における左右方向）と直交するとともに前記長手方向に所定間隔で複数（例えば１５）配置される遮光板１２２を有するルーバ１２０とを備えたものが提供されている（例えば、特許文献１，２）。
【０００４】
この照明器具１００は、ルーバ１２０を器具本体１１０に取り付けるために、図８に示すように、ルーバ１２０の反射部材１２１を係止する係止具となるばね部材１１１，１１１を器具本体１１０に設けている。また、照明器具１００では、ルーバ１２０の落下を防止するために、ルーバ１２０を仮吊り用の紐体１３０，１３０により器具本体１１０に連結している。
【０００５】
一方、図１０及び図１１示すような照明器具２００が提供されている。この照明器具２００は、下面が開口した器具本体２１０と、器具本体２１０内に設けられ直管型蛍光ランプ２２０を点灯させる安定器２１１と、直管型蛍光ランプ２２０の長手方向と直交するとともに前記長手方向に所定間隔で複数（例えば１０）配置される遮光板２３１を有して器具本体２１０の下面開口に配置されるルーバ２３０とを備えている（例えば、特許文献３）。
【０００６】
この照明器具２００では、ルーバ２３０を器具本体２１０に取り付けるために、ルーバ２３０の短手方向一端側（図１１（ｃ）における左端側）の長手方向両端側に係止爪２３２を設けるとともに、ルーバ２３０の短手方向他端側（図１１（ｃ）における右端側）の長手方向両端側に係止孔２３３を設けている。また、器具本体２１０の短手方向一端側の内面にルーバ２３０の係止爪２３２に対応する係止孔２１２を設けるとともに、器具本体２１０の短手方向他端側の内面にルーバ２３０の係止孔２３３に対応する係止具２１３を設けている。このような係止具２１３は、弾性を有する金属板から曲成された弾性部材（ばね部材）であり、常時は器具本体２１０の短手方向一端側に突出した状態となっている。
【０００７】
尚、ルーバ２３０を器具本体２１０から取り外す際には、図１１（ｄ）に示すように係止具２１３を押圧して、係止具２１３によるルーバ２３０の係止状態を解除するとともに、ルーバ２３０の係止爪２３２と器具本体２１０の係止孔２１２との係止状態をすればよく、このようにすれば、図１１（ｅ）に示すように、ルーバ２３０が器具本体２１０から取り外されることになる。
【特許文献１】特開２００４−３４２４８６号公報（図１参照）
【特許文献２】特開平９−２３１８２４号公報（図１参照）
【特許文献３】特許第３４９１４８２号公報（図１参照）
【発明の開示】
【発明が解決しようとする課題】
【０００８】
ところで、上記の照明器具１００では、ルーバ１２０の反射部材１２１が器具本体１１０のばね部材１１１，１１１から外れてしまった場合でも、図８に示すように、紐体１３０，１３０によりルーバ１２０が器具本体１１０に吊り下げられることになり、これによりルーバ１２０の予期せぬ落下等を防止できるようになっている。
【０００９】
しかしながら、この照明器具１００では、図７（ａ）に示すようにルーバ１２０を器具本体１１０のばね部材１１１，１１１に取り付けた場合には、器具本体１１０と紐体１３０の一端との連結部位Ｐ１と、ルーバ１２０と紐体１３０の他端との連結部位Ｐ２とが近接して、紐体１３０が大きく弛むことになる。そのため、ルーバ１２０を器具本体１１０に取り付けた際には、図９（ａ）に示すように、紐体１３０が反射部材１２１と器具本体１１０との間に収納されずに、図９（ｂ）に示すように紐体１３０の一部が、反射部材１２１からはみ出てしまい、これにより器具本体１１０の下面側から紐体１３０が見えて外観が悪くなるという問題があった。
【００１０】
そこで、特許文献１では紐体に錘を設けて紐体に常時張力を生じさせることで、また特許文献２では紐体にリールを設けて紐体の長さを調節できるようにすることで、ルーバを器具本体に取り付けた際に、器具本体と紐体の一端との連結部位Ｐ１と、ルーバと紐体の他端との連結部位Ｐ２とが近接しても、紐体が弛まないようにし、これにより紐体が見えてしまうことに起因する外観の悪化を防止するようにしている。
【００１１】
ところが、これら特許文献１，２では、紐体が弛まないようにするための錘やリール等の部品が別途必要となり、製造コストが高くなるという新たな問題が生じることになる。
【００１２】
一方、照明器具２００では、ルーバ２３０の係止孔２３３から器具本体２１０の係止具２１３が外れてしまった場合でも、図１１（ａ）に示すように、ルーバ２３０の係止爪２３２が器具本体２１０の係止孔２１２の縁部に引っ掛かって、ルーバ２３０が器具本体２１０に吊り下げられることになり、これによりルーバ２３０の予期せぬ落下等を防止できるようになっている。
【００１３】
したがって、照明器具２００では、紐体を用いていないために、当然ながら器具本体２１０の下面側から紐体が見えることがなく、紐体によって外観が悪くなるという問題はない。しかしながら、ルーバ２３０の係止孔２３２から器具本体２１０の係止具２１３が外れた際には、図１１（ａ）に示すように、単にルーバ２３０の係止爪２３２が器具本体２１０の係止孔２１２の縁部に引っ掛かっているだけであるから、衝撃や揺れ等が発生した際には、係止爪２３２が係止孔２１２の縁部から外れてしまうおそれがあり、照明器具１００のように紐体１３０を用いて連結するような場合に比べれば、ルーバ２３０の落下防止を十分に図ることができていなかった。
【００１４】
本発明は上述の点に鑑みて為されたもので、その目的は、ルーバを器具本体に仮吊する紐体が見えることによる外観の悪化を防止でき、且つ製造コストの増加を抑えることができる照明器具を提供することである。
【課題を解決するための手段】
【００１５】
上記の課題を解決するために、請求項１の照明器具の発明では、ランプ点灯用の電子部品を備える器具本体と、器具本体の一面側に配置されるランプの長手方向と直交するとともに前記長手方向に所定間隔で複数配置される遮光板を有して前記ランプより前記器具本体の一面側に取り付けられるルーバと、該ルーバと前記器具本体とを連結する仮吊り用の紐体とを備え、前記紐体の一端が連結される第１連結部と前記紐体の他端が連結される第２連結部は、鉛直方向で互いに対向しないようにして器具本体とルーバにそれぞれ設けられ、前記ルーバは、前記器具本体の一面側から前記紐体を直視できないように隠蔽する隠蔽部を有し、前記紐体は、ルーバを器具本体に取り付けた状態において、第１連結部と第２連結部とを結ぶ直線に沿うような形で第１連結部と第２連結部間に架設されていることを特徴とする。
【００１６】
請求項２の照明器具の発明では、請求項１の構成に加えて、前記ルーバは、器具本体の一面側にいくにつれて狭幅となるＶ字状に形成され、器具本体の一面側に取り付けられて前記ランプが放射する光を前記器具本体の一面側に反射する反射部材と、該反射部材に設けられる前記遮光板とを備え、前記反射部材が前記隠蔽部として用いられていることを特徴とする。
【００１７】
請求項３の照明器具の発明では、請求項１の構成に加えて、前記ルーバは、前記ランプを前記器具本体の一面側に臨ませる開口部を有し、前記ランプより前記器具本体の一面側に取り付けられる枠体と、該枠体の開口部内に設けられる前記遮光板とを備え、前記枠体が前記隠蔽部として用いられていることを特徴とする。
【００１８】
請求項４の照明器具の発明では、請求項３の構成に加えて、前記枠体は長方形状に形成され、前記枠体の短手方向の両片部が、それぞれ前記隠蔽部として用いられていることを特徴とする。
【発明の効果】
【００１９】
請求項１の照明器具の発明は、器具本体とルーバとが紐体で連結されているので、揺れや衝撃等によって予期せずルーバが器具本体から外れてしまった場合でも、ルーバが器具本体から落下してしまうことを防止できるという効果を奏し、しかも第１連結部と第２連結部を鉛直方向で対向しないようにすることで、ルーバを器具本体に取り付けた状態と、紐体によりルーバを器具本体に吊り下げた状態とで、第１連結部と第２連結部との間の距離に大きな差を生じなくするとともに、紐体を、ルーバを器具本体に取り付けた状態において第１連結部と第２連結部とを結ぶ直線に沿うような形で第１連結部と第２連結部間に架設するようにしているから、ルーバを器具本体に取り付ける際に、紐体が大きく弛んでしまうことがなく、これにより紐体が隠蔽部からはみ出した状態でルーバが器具本体に取り付けられてしまうことがなくなって、ルーバを器具本体に仮吊する紐体が見えることによる外観の悪化を防止できるという効果を奏し、その上外観の悪化を防止するために錘やリール等の部品が必要なくなるから、製造コストの増加を抑えることができるという効果を奏する。
【００２０】
請求項２の照明器具の発明は、ルーバが、器具本体の一面側にいくにつれて狭幅となるＶ字状に形成され、器具本体の一面側に取り付けられてランプが放射する光を器具本体の一面側に反射する反射部材を有するものである場合に、反射部材を、紐体を隠蔽するための隠蔽部として利用しているので、紐体を隠蔽するために新たな部品を設ける必要がなくなり、これにより部品点数を増やさなくて済み、製造コストの低減を図ることができるという効果を奏する。
【００２１】
請求項３の照明器具の発明は、ルーバが、ランプを器具本体の一面側に臨ませる開口部を有し、ランプより器具本体の一面側に取り付けられる矩形状の枠体を有するものである場合に、枠体を、紐体を隠蔽するための隠蔽部として利用しているので、紐体を隠蔽するために新たな部品を設ける必要がなくなり、これにより部品点数を増やさなくて済み、製造コストの低減を図ることができるという効果を奏する。
【００２２】
請求項４の照明器具の発明は、紐体によりルーバを器具本体に仮吊りした際に、ルーバが枠体の短手方向を鉛直方向に沿わすようにして器具本体に吊り下げられることになり、これによりルーバの器具本体からの突出量を抑えることができるという効果を奏する。
【発明を実施するための最良の形態】
【００２３】
（実施形態１）
以下に、図１〜図３を参照して本実施形態の照明器具について説明する。尚、以下の説明では、説明の簡略化のために、図１（ａ）における上方を照明器具の上方、図１（ｂ）における下方を照明器具の下方と規定する。
【００２４】
本実施形態の照明器具１は、例えば天井面ＣＢに設けられた開口Ｈに埋め込み設置される埋込型の照明器具であって、図１〜図３に示すように、一面（下面）が開口し他面側（上面側）にランプ点灯用の電子部品を備え天井面ＣＢに設置（埋め込み設置）される器具本体２と、器具本体２の一面側に配置される２本のランプＬの長手方向（図１（ａ）における左右方向）と直交するとともに前記長手方向に所定間隔で複数（本実施形態では１５）配置される遮光板５１を有してランプＬより器具本体２の一面側に取り付けられるルーバ５と、該ルーバ５と器具本体２とを連結する仮吊り用の紐体６とを備えている。
【００２５】
また、紐体６の一端が連結される第１連結部４ｂと前記紐体６の他端が連結される第２連結部５１ａは、ルーバ５を器具本体２に取り付けた状態において、鉛直方向で互いに対向しないようにして器具本体２とルーバ５にそれぞれ設けられ、ルーバ５は、器具本体２の下面側から紐体６を直視できないように隠蔽する隠蔽部となる反射部材５０を有し、紐体６は、ルーバ５を器具本体２に取り付けた状態において、第１連結部４ｂと第２連結部５１ａとを結ぶ直線に沿うような形で第１連結部４ｂと第２連結部５１ａ間に架設されている。
【００２６】
ここで、本実施形態の照明器具１に使用するランプＬは、いわゆる直管型蛍光ランプであり、内周面に蛍光物質が塗布されたガラス管と、ガラス管の軸方向（長手方向）両端部に設けられた口金とを備えている。また、ガラス管内には水銀及び希ガス等が封入されており、口金には直径方向に一対のランプピンＰ，Ｐが貫設されて、これらランプピンＰ，Ｐはガラス管内でフィラメントにより電気的に接続されている。
【００２７】
器具本体２は、図２に示すように、ランプ点灯用の電子部品等を備える点灯ブロック３と、一面（下面）が開口した箱状に形成され他面側（上面側）に点灯ブロック３が取り付けられる反射板４とを備えている。
【００２８】
点灯ブロック３は、図２に示すように、下面が開口した長尺の箱状の筐体３０と、筐体３０の長手方向両端部の下面側に対向配置される一対のソケット部３１，３１と、筐体３０内に収納される安定器等の点灯装置３２とを備えている。
【００２９】
筐体３０は、例えば、アルミ材等を用いて下面が開口した長尺の箱状に形成され、上壁部には、器具本体２を、天井面ＣＢの開口Ｈに臨む躯体（図示せず）に取り付けるためのボルト挿通孔（図示せず）が設けられている。このボルト挿通孔は、躯体の吊ボルトＢを挿通できる大きさに形成されており、ボルト挿通孔を挿通させた吊ボルトＢにワッシャＷを嵌めるとともに、ナットＮを螺着することによって、器具本体２を躯体に取り付けることができるようになっている。さらに、筐体３０の上壁部には、屋内配線の電源ケーブルＣを器具本体２内に導入するための電線挿入孔（図示せず）が形成されている。
【００３０】
また、筐体３０の下面側の長手方向両端側には、取付具３３がそれぞれ設けられている。この取付具３３は、金属材料を用いて長尺平板状に形成されており、その長手方向両端側には、反射板４を筐体３０に取り付けるための取付ねじＳ用のねじ孔３３ａがそれぞれ設けられている。さらに、筐体３０には、器具本体２を天井面ＣＢに設けられた開口Ｈ内に取り付けるための略コ字状の取着片３４が設けられている。
【００３１】
ソケット部３１は、上述したような直管型蛍光ランプが装着されるものであり、図３（ａ），（ｂ）に示すように、筐体３０の長手方向において互いに対向するようにして、筐体３０の下面側の長手方向両端部に設けられている。ここで、ソケット部３１は、図１（ｂ）に示すように、互いに対向する面（器具本体２の内側を向く面）に、ランプＬの一対のランプピンＰ，Ｐが電気的且つ機械的に接続されるランプ装着口３１ａが水平方向に並ぶようにして設けられている。尚、このようなランプ装着口３１ａは、従来周知のものであるから、説明を省略する。
【００３２】
点灯ブロック３２は、例えば、交流電源である商用電源等の外部電源をランプＬの点灯に適した高周波交流電源に変換して出力する点灯回路を備える安定器を有するものであり、ソケット部３１の各ランプ装着口３１ａ，３１ａに図示しないリード線等により電気的に接続されている。また、点灯ブロック３２には、器具本体２内に引き込まれた外部電源の電源ケーブルＣが接続される。したがって、点灯ブロック３２によれば、電源ケーブルＣより供給される商用電源を元にして、ランプＬ点灯用の高周波交流電源を生成し、ソケット部３１に装着されているランプＬに供給できるようになっている。
【００３３】
反射板４は、図２に示すように、例えば、アルミ材等を用いて下面が開口するとともに、下面側にいくにつれて拡開する長尺の箱状に形成されている。この反射板４の内面は、反射材（図示せず）で塗装されており、これによりランプＬからの光を下方へ反射する反射面が形成されている。一方、反射板４の上壁部には、取付ねじＳが挿通されるねじ挿通孔４ａが筐体３０の取付具３３の各ねじ孔３３ａに対応するようにして形成されている。また、ルーバ５の反射部材５０と対向する反射板４の上壁部の下面の長手方向両端側には、紐体６の一端側に設けられた後述するフック６０を引っ掛ける第１連結部４ｂが形成されている。さらに、反射板４の上壁部の長手方向両端部には、点灯ブロック３のソケット部３１を反射板４内に配置するためのソケット挿通孔４ｃがそれぞれ形成されている。
【００３４】
加えて、反射板４の上壁部の下面の長手方向両端側には、ルーバ５を器具本体２に取り付けるための係止具４０が設けられている。この係止具４０は、弾性を有する金属板から曲成された弾性部材（ばね部材）であり、互いに並行する側片４０ａ，４０ａと、係止片４０ａ，４０ａの一端部同士（上端部同士）を連結する連結片４０ｂとを一体に備え、側片４０ａの他端側（下端側）には、ルーバ５を係止するための係止突起４０ｃが設けられている。
【００３５】
ルーバ５は、図２に示すように、器具本体２の下面側に取り付けられてランプＬが放射する光を器具本体２の下面側に反射する反射部材５０と、反射部材５０に設けられる遮光板５１とを備えている。
【００３６】
反射部材５０は、図１及び図２に示すように、例えば長尺状のアルミ板を用いて、長手方向を法線方向とする面における断面形状がＶ字状に形成されたＶ字反射板である。この反射部材５０の外面は反射材（図示せず）で塗装されており、これによりランプＬが放射する光を器具本体２の下面側に反射する反射面が形成されている。
【００３７】
このような反射部材５０の長手方向両端部には、図２に示すように、係止具４０の各係止突起４０ｃ，４０ｃにそれぞれ対応する係止孔５０ａ，５０ａが形成されている。また、反射部材５０には、遮光板５１が反射部材５０の長手方向及び鉛直方向にそれぞれ直交する方向（図１（ｂ）における左右方向）に貫挿される取付孔５０ｂが、反射部材５０の長手方向に所定間隔で複数（本実施形態では１５）形成されている。
【００３８】
遮光板５１は、例えば、図１（ｂ）に示すように、矩形の平板状に形成されており、長手方向両端部を突出させた状態で、反射部材５０の取付孔５０ｂに貫装され、これにより図２に示すように、遮光板５１の沿面方向（遮光板５１の法線方向に直交する方向）がランプＬの長手方向と直交するとともに前記長手方向（ランプＬの長手方向）に所定間隔で複数（本実施形態では１５）配置されたルーバ５が得られるようになっている。
【００３９】
また、特定の遮光板５１、本実施形態の場合、反射部材５０の長手方向両端から各々４番目の遮光板５１の長手方向中央部には、紐体６の他端を括り付ける（連結する）ための孔部からなる第２連結部５１ａが設けられている。尚、図１及び図３では、実際上、第２連結部５１ａは見えていないが、第１連結部４ｂと第２連結部５１ａの位置関係を明確にするために、第２連結部５１ａと紐体６の連結部分を第２連結部５１ａとして図示している。
【００４０】
更に詳しく説明すると、第２連結部５１ａは、図３（ａ）に示すように、ルーバ５を器具本体２に取り付けた際に、器具本体２の第１連結部４ｂと、鉛直方向で対向しないようにして、ルーバ５に設けられている。
【００４１】
したがって、図３（ａ）に示すようにルーバ５を器具本体２に取り付けた状態（第１連結部４ｂと第２連結部５１ａとが鉛直方向で対向していない状態）と、図３（ｂ）に示すように紐体６によりルーバ５を器具本体２に吊り下げた状態（第１連結部４ｂと第２連結部５１ａとが鉛直方向で対向している状態）とで、第１連結部４ｂと第２連結部５１ａとの間の距離に大きな差を生じないようにしてあり、これにより、ルーバ５を器具本体２に取り付けようとした際に、紐体６が大きく弛まないようにすることができるようになっている。
【００４２】
また、図３（ａ）に示すようにルーバ５を器具本体２に取り付けた状態と、図３（ｂ）に示すように紐体６によりルーバ５を器具本体２に吊り下げた状態とでは、ルーバ５を器具本体２に取り付けた状態における第１連結部４ｂと第２連結部５１ａとの間の距離の鉛直方向成分の長さと、紐体６によりルーバ５を器具本体２に吊り下げた状態における第１連結部４ｂと第２連結部５１ａとの間の距離の長さの差だけ、ルーバ５が器具本体２より鉛直下方向に位置することになる。そこで、前記長さの差は、器具本体２とルーバ５との間に、ソケット部３１にランプＬを装着できる隙間が形成されるような大きさとしている。
【００４３】
紐体６は、紐やチェーン等であって、その一端側には、第１連結部４ｂに連結するための前述のフック６０が設けられている。また紐体６は、ルーバ５を器具本体２に取り付けた状態において、第１連結部４ｂと第２連結部５１ａとを結ぶ直線に沿うような形で第１連結部４ｂと第２連結部５１ａ間に架設できる長さ（ルーバ５を器具本体２に取り付けた状態における第１連結部４ｂと第２連結部５１ａとの間の長さより若干大きい長さ）に形成されている。尚、紐体６は、単なる紐や、チェーン等であってもよく、要は、ルーバ５が落下しないように器具本体２とルーバ５とを連結できるようなものであればよい。
【００４４】
上記部材により照明器具１は構成されており、各部材は次のようにして取り付けられている。点灯ブロック３は、筐体３０のボルト挿通孔に躯体の吊ボルトＢを挿通させ、このボルト挿通孔を挿通させた吊ボルトＢにワッシャＷを嵌めるとともに、ナットＮを螺着することによって躯体に固定され、これにより点灯ブロック３は、天井面ＣＢの開口Ｈに埋め込み設置される。このとき、電源ケーブルＣは、電線挿入孔から筐体３０内に導入されるとともに、点灯装置３２に電気的に接続される。
【００４５】
天井面ＣＢの開口Ｈに埋め込み設置された点灯ブロック３には、反射板４が次のようにして取り付けられる。すなわち、反射板４は、両ソケット挿通孔４ｃに点灯ブロック３の両ソケット部３１をそれぞれ挿通させた状態で、反射板４のねじ挿通孔４ａをそれぞれ挿通させた取付ねじＳを、点灯ブロック３のねじ孔３３ａにそれぞれ螺着することによって点灯ブロック３に取り付けられており、これにより器具本体２が構成される。
【００４６】
このように構成された器具本体２には、ルーバ５が２本の紐体６を用いて次のようにして連結されている。すなわち、ルーバ５は、第２連結部５１ａに他端が括り付けられた（連結された）紐体６の一端のフック６０を、器具本体２の第１連結部４ｂに引っ掛ける（連結する）ことによって、器具本体２に連結されている。
【００４７】
この状態では、ルーバ５が器具本体２に直接的に取り付けられておらず、図３（ｂ）に示すように、紐体６によって間接的に取り付けられている（つまり、紐体６によってルーバ５が器具本体２に吊り下げられている）。そして、このようにルーバ５を器具本体２に吊り下げた状態では、ルーバ５と器具本体２との間に、ランプＬの器具本体２への着脱作業が行えるような隙間が形成されるようになっている。
【００４８】
そして、ルーバ５を器具本体２に直接的に取り付ける際には、第１連結部４ｂを中心として第２連結部５１ａの軌跡が円弧を画くようにしてルーバ５を斜め上方へ持ち上げて、器具本体２の係止具４０の係止突起４０ｃ，４０ｃを、ルーバ５の反射部材５０の係止孔５０ａ，５０ａに挿入して、係止孔５０ａ，５０ａの上縁部を係止突起４０ｃ，４０ｃの上面にそれぞれ係止させる。これによりルーバ５が器具本体２に直接的に取り付けられて、図３（ａ）に示すような照明器具１が得られることになる。
【００４９】
このようにしてルーバ５が器具本体２に取り付けられた状態では、紐体６がルーバ５の反射部材５０と器具本体２の反射板４との間に収納される。つまり、ルーバ５の反射部材５が、器具本体２の一面側から紐体６を直視できないように隠蔽する隠蔽部として機能することになる。
【００５０】
ところで、ルーバ５を器具本体２から取り外す際には、係止具４０の係止突起４０ｃ，４０ｃを押し撓めて、係止具４０によるルーバ５の係止状態を解除すればよく、このようにすれば、図３（ｂ）に示すように、ルーバ５が紐体６によって器具本体２に仮吊りされた状態となる。また、揺れや衝撃等によって係止具４０によるルーバ５の係止状態が解除されてしまった場合でも、図３（ｂ）に示すように、ルーバ５が器具本体２に紐体６により吊り下げられることになるので、ルーバ５が器具本体２から落下してしまうことを防止できる。
【００５１】
以上述べた本実施形態の照明器具１によれば、器具本体２とルーバ５とが紐体６で連結されているので、揺れや衝撃等によって予期せずルーバ５が器具本体２から外れてしまった場合でも、ルーバ５が器具本体２から落下してしまうことを防止できるという効果を奏する。しかも、図１（ａ）に示すように、第１連結部４ｂと第２連結部５１ａを鉛直方向で対向しないようにすることで、図３（ａ）に示すようにルーバ５を器具本体２に取り付けた状態と、図３（ｂ）に示すように紐体６によりルーバ５を器具本体２に吊り下げた状態とで、第１連結部４ｂと第２連結部５１ａとの間の距離に大きな差を生じなくし、且つ紐体６を、図３（ａ）に示すように、ルーバ５を器具本体２に取り付けた状態において第１連結部４ｂと第２連結部５１ａとを結ぶ直線に沿うような形で第１連結部４ｂと第２連結部５１ａ間に架設するようにしているから、ルーバ５を器具本体２に取り付ける際に、紐体６が大きく弛んでしまうことがなく、これにより紐体６が反射部材５０からはみ出した状態でルーバ５が器具本体２に取り付けられてしまうことがなくなって、ルーバ５を器具本体２に仮吊する紐体６が見えることによる外観の悪化を防止できるという効果を奏する。その上、外観の悪化を防止するために錘やリール等の部品が必要なくなるから、製造コストの増加を抑えることができるという効果を奏する。
【００５２】
さらに、ルーバ５の反射部材５０を、紐体６を隠蔽するための隠蔽部として利用しているので、紐体６を隠蔽するために新たな部品を設ける必要がなくなり、これにより部品点数を増やさなくて済み、製造コストの低減を図ることができるという効果を奏する。
【００５３】
尚、ルーバ５は、本実施形態のように遮光板５１が所定間隔で並行配置されるものに限られるものではなく、格子状に配置したものを用いることもできる。また尚、器具本体２の形状や、使用するランプＬの本数等は、状況に応じて適宜変更するようにしてもよい。
【００５４】
ところで、本実施形態では、点灯ブロック３を反射板４の上壁部の上面側に設けているが、反射板４の上壁部の下面側に設けるようにしてもよく、要は一面が開口した器具本体２の他面側に点灯ブロック３が位置していればよい、点灯ブロック３を反射板４の上壁部の下面に配置するようにしてもよい。これらの点は、後述する実施形態２においても同様である。
【００５５】
（実施形態２）
以下に、図４〜図６を参照して本実施形態の照明器具１Ａについて説明する。尚、以下の説明では、説明の簡略化のために、図４（ａ）における上方を照明器具の上方、図４（ｂ）における下方を照明器具の下方と規定する。また尚、上記実施形態１の照明器具１と同様の構成については同一の符号を付して説明を省略する。
【００５６】
本実施形態の照明器具１Ａは、上記実施形態１の照明器具１と同様に天井面ＣＢに設けられた開口Ｈに設置（埋め込み設置）される埋込型の照明器具であって、図４〜図６に示すように、一面（下面）が開口し他面側（上面側）にランプ点灯用の電子部品を備え天井面ＣＢに埋め込み設置される器具本体２Ａと、器具本体２Ａの一面側に配置される１本のランプＬの長手方向（図４（ｂ）における左右方向）と直交するとともに前記長手方向に所定間隔で複数（本実施形態では１５）配置される遮光板５３を有してランプＬより器具本体２Ａの一面側に取り付けられるルーバ５Ａと、該ルーバ５Ａと器具本体２Ａとを連結する仮吊り用の紐体６Ａとを備えている。
【００５７】
また、紐体６Ａの一端が連結される第１連結部４ｃと紐体６Ａの他端が連結される第２連結部５２ｆは、ルーバ５Ａを器具本体２Ａに取り付けた状態において、鉛直方向で互いに対向しないようにして器具本体２Ａとルーバ５Ａにそれぞれ設けられ、ルーバ５Ａは、器具本体２Ａの下面側から紐体６Ａを直視できないように隠蔽する隠蔽部となる枠体５２を有し、紐体６Ａは、ルーバ５Ａを器具本体２Ａに取り付けた状態において、第１連結部４ｃと第２連結部５２ｆとを結ぶ直線に沿うような形で第１連結部４ｃと第２連結部５２ｆ間に架設されている。
【００５８】
器具本体２Ａは、図５に示すように、ランプ点灯用の電子部品等を備える点灯ブロック３Ａと、一面（下面）が開口した箱状に形成され他面側（上面側）に点灯ブロック３Ａが取り付けられる反射板４Ａとを備えている。
【００５９】
点灯ブロック３Ａは、図５に示すように、下面が開口した長尺の箱状の筐体３５と、筐体３５の長手方向両端部の下面側に対向配置される一対のソケット部３６，３６と、筐体３５内に収納される安定器等の点灯装置３７とを備えている。
【００６０】
筐体３５は、例えば、アルミ材等を用いて下面が開口した長尺の箱状に形成され、上壁部には、器具本体２Ａを、天井面ＣＢの開口Ｈに臨む躯体（図示せず）に取り付けるためのボルト挿通孔（図示せず）が設けられている。このボルト挿通孔は、躯体の吊ボルトＢが挿通できる大きさに形成されており、ボルト挿通孔を挿通させた吊ボルトＢにワッシャＷを嵌めるとともに、ナットＮを螺着することによって、器具本体２Ａを躯体に取り付けることができるようになっている。さらに、筐体３５の上壁部には、屋内配線の電源ケーブルＣを器具本体２Ａ内に導入するための電線挿入孔（図示せず）が形成されている。
【００６１】
また、筐体３５の下面側の長手方向両端側には、それぞれ取付具３８が設けられている。取付具３８は、金属材料を用いて長尺平板状に形成され、その長手方向中央部に、反射板４Ａを筐体３５に取り付けるための取付ねじＳ用のねじ孔３８ａが設けられている。さらに、筐体３５には、器具本体２Ａを天井面ＣＢに設けられた開口Ｈ内に取り付けるための略コ字状の取着片３９が設けられている。
【００６２】
ソケット部３６は、実施形態１のソケット部３１と同様にランプＬが装着されるものであり、筐体３５の長手方向において互いに対向するようにして、筐体３５の下面側の長手方向両端部に設けられている。ここで、ソケット部３６は、互いに対向する面（器具本体２Ａの内側を向く面）に、ランプ装着口３６ａを備えている。尚、ランプ装着口３６ａについては、上記実施形態１のランプ装着口３１ａと同様のものであるから説明を省略する。
【００６３】
点灯装置３７は、上述した点灯装置３２と同様のものであり、ソケット部３６の各ランプ装着口３６ａに図示しないリード線等により電気的に接続されている。また、点灯装置３７には、器具本体２内に引き込まれた外部電源の電源ケーブルＣが接続され、これにより、電源ケーブルＣより供給される商用電源を元にして、ランプＬ点灯用の高周波交流電源を生成し、ソケット部３６に装着されているランプＬに供給できるようになっている。
【００６４】
反射板４Ａは、図５に示すように、例えば、アルミ材等を用いて下面が開口するとともに、下面側にいくにつれて拡開する長尺の箱状に形成されている。この反射板４Ａの内面は、反射材（図示せず）で塗装されており、これによりランプＬからの光を下方へ反射する反射面が形成されている。一方、反射板４の上壁部には、取付ねじＳが挿通されるねじ挿通孔（図示せず）が筐体３５の取付具３８のねじ３８ａに対応するようにして形成されるとともに、長手方向両端部に、図４（ｂ）に示すように点灯ブロック３Ａの両ソケット部３１を反射板４Ａ内に挿入するためのソケット挿通孔４ｆが設けられている。
【００６５】
また、図４（ａ）に示すように、ルーバ５Ａの枠体５２と対向する反射板４Ａの短手方向一端側（図４（ａ）における左端側）の内側面の長手方向両端部には、紐体６Ａの一端側に設けられたフック６０を引っ掛ける第１連結部４ｄが形成されている。
【００６６】
加えて、反射板４Ａの短手方向他端側（図４（ａ）における右端側）の内側面には、後述するルーバ５Ａの係止爪５２ｄに対応する係止孔４ｅが形成されている。また、反射板４Ａの短手方向一端側の内側面に設けられた第１連結部４ｄの近傍には、ルーバ５Ａを器具本体２Ａに取り付けるための係止具４１（図６（ｄ）参照）が、反射板４Ａの短手方向において係止孔４ｅと対向するようにして設けられている。
【００６７】
この係止具４１は、弾性を有する金属板から曲成された弾性部材（ばね部材）であり、常時は反射板４Ａ内に突出して、ルーバ５の枠体５２を支持するように構成されている。尚、このような係止具４１は、従来周知のものを採用できるから詳細な説明は省略する。また尚、係止具４１は、図６（ａ）では図示を省略している。
【００６８】
ルーバ５Ａは、図５に示すように、ランプＬを器具本体２Ａの一面側（下面側）に臨ませる開口部５２ｃを有し、ランプＬより器具本体２Ａの一面側に取り付けられる枠体５２と、該枠体５２の開口部５２ｃ内に設けられる遮光板５３とを備えている。
【００６９】
枠体５２は、図４及び図５に示すように、例えばアルミ材を用いて、反射板４Ａの長手方向に沿った一対の長片５２ａ，５２ａと、長片５２ａ，５２ａの両端間を連結する短片５２ｂ，５２ｂとを一体に備える長方形状に形成されており、これら長片５２ａ，５２ａ及び短片５２ｂ，５２ｂで囲まれる空間部が、ランプＬを器具本体２Ａの下面側に臨ませる開口部５２ｃとなっている。
【００７０】
この枠体５２の短手方向一端側（図４（ａ）における右端側）の長片５２ａには、その長手方向両端側に、反射板４Ａの係止孔４ｄに対応する前述の係止爪５２ｄがそれぞれ設けられている。また、枠体５２の短片５２ｂは、図４（ｂ）に示すように、反射板４Ａの長手方向両端側の内側面との間に、紐体６Ａの収納用のスペースＴを確保するために、上方にいくほど反射板４Ａから離間する斜辺部５２ｅを備えており、この斜辺部５２ｅの短手方向一端側には、紐体６Ａの他端を括り付ける（連結する）ための孔部からなる第２連結部５２ｆが設けられている。
【００７１】
更に詳しく説明すると、第２連結部５２ｆは、図４（ａ）及び図６（ｄ）に示すように、ルーバ５Ａを器具本体２Ａに取り付けた際に、器具本体２Ａの第１連結部４ｄと、鉛直方向で対向しないようにして、ルーバ５Ａに設けられている。
【００７２】
したがって、図４（ａ）及び図６（ｄ）に示すようにルーバ５Ａを器具本体２Ａに取り付けた状態（第１連結部４ｄと第２連結部５２ｆとが鉛直方向で対向していない状態）と、図６（ａ）に示すように紐体６Ａによりルーバ５Ａを器具本体２Ａに吊り下げた状態（第１連結部４ｄと第２連結部５２ｆとが鉛直方向で対向している状態）とで、第１連結部４ｄと第２連結部５２ｆとの間の距離に大きな差を生じないようにしてあり、これにより、ルーバ５Ａを器具本体２Ａに取り付けようとした際に、紐体６Ａが大きく弛まないようにすることができるようになっている。
【００７３】
遮光板５３は、例えば、図４（ａ）に示すように、矩形の平板状に形成されており、枠体５２の開口部５２ｃ内において長片５２ａ，５２ａを連結するようにして、長片５２ａの長手方向に所定間隔で複数設けられている。これによりルーバ５Ａを器具本体２Ａに取り付けた際には、遮光板５３の沿面方向（遮光板５３の法線方向に直交する方向）がランプＬの長手方向と直交するとともに前記長手方向（ランプＬの長手方向）に所定間隔で複数（本実施形態では１５）配置されるようになっている。
【００７４】
紐体６Ａは、上記実施形態１の紐体６と同様のものであり、ルーバ５Ａを器具本体２Ａに取り付けた状態において、第１連結部４ｄと第２連結部５２ｆとを結ぶ直線に沿うような形で第１連結部４ｄと第２連結部５２ｆ間に架設できる長さ（ルーバ５Ａを器具本体２Ａに取り付けた状態における第１連結部４ｄと第２連結部５２ｆとの間の長さより若干大きい長さ）に形成されている。
【００７５】
上記部材により照明器具１Ａは構成されており、各部材は次のようにして取り付けられている。点灯ブロック３Ａは、筐体３５のボルト挿通孔に躯体の吊ボルトＢを挿通させ、このボルト挿通孔を挿通させた吊ボルトＢにワッシャＷを嵌めるとともに、ナットＮを螺着することによって躯体に固定され、これにより点灯ブロック３Ａは、天井面ＣＢの開口Ｈに埋め込み設置される。このとき、電源ケーブルＣは、電線挿入孔から筐体３５内に導入されるとともに、点灯装置３７に電気的に接続される。
【００７６】
天井面ＣＢの開口Ｈに埋め込み設置された点灯ブロック３Ａには、反射板４Ａが次のようにして取り付けられる。すなわち、反射板４Ａは、両ソケット挿通孔４ｆに点灯ブロック３Ａの両ソケット部３６をそれぞれ挿通させた状態で、反射板４Ａのねじ挿通孔４ａをそれぞれ挿通させた取付ねじＳを点灯ブロック３Ａのねじ孔３８ａにそれぞれ螺着することによって点灯ブロック３Ａに取り付けられる。これにより、器具本体２Ａが天井面ＣＢに設置されることになる。
【００７７】
このように構成された器具本体２Ａには、ルーバ５Ａが２本の紐体６Ａを用いて次のようにして連結されている。すなわち、ルーバ５Ａは、第２連結部５２ｆに他端が括り付けられた（連結された）紐体６Ａの一端のフック６０を、器具本体２Ａの第１連結部４ｄに引っ掛ける（連結する）ことによって、器具本体２Ａに連結されている。
【００７８】
この状態では、ルーバ５Ａが器具本体２Ａに直接的に取り付けられておらず、図６（ａ）に示すように、紐体６Ａによって間接的に取り付けられている（つまり、紐体６Ａによってルーバ５Ａが器具本体２Ａに吊り下げられている）。そして、このようにルーバ５Ａを器具本体２Ａに吊り下げた際には、ルーバ５Ａは、横片５２ｂの長手方向を略鉛直方向に沿わせた状態となっており、これによりランプＬの器具本体２Ａへの着脱作業が行えるようになっている。
【００７９】
そして、ルーバ５Ａを器具本体２Ａに直接的に取り付ける際には、図６（ｂ）に示すように、ルーバ５Ａの係止爪５２ｄを、反射板４Ａの係止孔４ｄに挿入して係止孔４ｄの縁部に係止させる。この後に、図６（ｃ）に示すように、ルーバ５Ａの短手方向他端側（図６（ｃ）における右端側）の縦片５２ａを、反射板４Ａの第１連結部４ｄに近接させるように上方に移動させ、反射板４Ａの係止具４１によりルーバ５Ａの短手方向他端側の縦片５２ａを係止、支持させる。これによりルーバ５Ａが器具本体２Ａに取り付けられて、図６（ｄ）に示すような照明器具１Ａが得られることになる。
【００８０】
このようにしてルーバ５Ａが器具本体２Ａに取り付けられた状態では、図１（ｂ）に示すように、紐体６Ａがルーバ５Ａの横片５２ｂの斜辺部５２ｅと、反射板４Ａの長手方向の内側面との間のスペースＴに収納される。つまり、ルーバ５Ａの枠体５２、特に枠体５２２においてランプＬの長手方向両端側に対応する辺部である横片５２ｂ，５２ｂが、器具本体２の一面側から紐体６Ａを直視できないように隠蔽する隠蔽部として機能することになる。
【００８１】
ところで、ルーバ５Ａを器具本体２Ａから取り外す際には、係止具４１を押し撓めて、係止具４１によるルーバ５Ａの係止状態を解除するとともに、ルーバ５Ａの係止爪５２ｄと反射板４Ａの係止孔４ｄとの係止状態をすればよく、このようにすれば、図６（ａ）に示すように、ルーバ５Ａが紐体６Ａによって器具本体２Ａに仮吊りされた状態となる。また、揺れや衝撃等によって係止具４１によるルーバ５Ａの係止状態が解除されてしまった場合でも、図６（ａ）に示すように、ルーバ５Ａが器具本体２Ａに紐体６Ａにより吊り下げられることになるので、ルーバ５Ａが器具本体２Ａから落下してしまうことを防止できる。
【００８２】
以上述べた本実施形態の照明器具１Ａによれば、器具本体２Ａとルーバ５Ａとが紐体６Ａで連結されているので、揺れや衝撃等によって予期せずルーバ５Ａが器具本体２Ａから外れてしまった場合でも、ルーバ５Ａが器具本体２Ａから落下してしまうことを防止できるという効果を奏する。しかも、図４（ａ）に示すように、第１連結部４ｄと第２連結部５２ｆを鉛直方向で対向しないようにすることで、図６（ｄ）に示すようにルーバ５Ａを器具本体２Ａに取り付けた状態と、図６（ａ）に示すように紐体６Ａによりルーバ５Ａを器具本体２Ａに吊り下げた状態とで、第１連結部４ｄと第２連結部５２ｆとの間の距離に大きな差を生じなくし、且つ紐体６Ａを、図４（ａ）に示すように、ルーバ５Ａを器具本体２Ａに取り付けた状態において第１連結部４ｄと第２連結部５２ｆとを結ぶ直線に沿うような形で第１連結部４ｄと第２連結部５２ｆ間に架設するようにしているから、ルーバ５Ａを器具本体２Ａに取り付ける際に、紐体６Ａが大きく弛んでしまうことがなく、これにより紐体６Ａが枠体５２の横片５２ｂからはみ出した状態でルーバ５Ａが器具本体２Ａに取り付けられてしまうことがなくなって、ルーバ５Ａを器具本体２Ａに仮吊する紐体６Ａが見えることによる外観の悪化を防止できるという効果を奏する。その上、外観の悪化を防止するために錘やリール等の部品が必要なくなるから、製造コストの増加を抑えることができるという効果を奏する。
【００８３】
加えて、ルーバ５Ａの枠体５２を、紐体６Ａを隠蔽するための隠蔽部として利用しているので、紐体６Ａを隠蔽するために新たな部品を設ける必要がなくなり、これにより部品点数を増やさなくて済み、製造コストの低減を図ることができるという効果を奏する。
【００８４】
特に、枠体５２が長方形状に形成され、枠体５２の短手方向の両辺部（枠体５２においてランプＬの長手方向両端側にそれぞれ対応する両辺部）である両横片５２ｂ，５２ｂが、それぞれ隠蔽部として用いられているので、紐体６Ａによりルーバ５Ａを器具本体２Ａに仮吊りした際に、ルーバ５Ａが枠体５２の短手方向を鉛直方向に沿わすようにして器具本体２Ａに吊り下げられることになるため、器具本体２Ａからのルーバ５Ａの突出量を抑えることができるという効果を奏する。
【図面の簡単な説明】
【００８５】
【図１】（ａ）は、実施形態１の照明器具の部分切欠図であり、（ｂ）は、概略断面図である。
【図２】実施形態１の照明器具の分解斜視図である。
【図３】（ａ），（ｂ）は、実施形態１の照明器具におけるルーバの取り付け方法の説明図である。
【図４】（ａ）は、実施形態２の照明器具の概略断面図であり、（ｂ）は、要部の部分切欠図である。
【図５】実施形態２の照明器具の分解斜視図である。
【図６】（ａ）〜（ｄ）は、実施形態２の照明器具におけるルーバの取り付け方法の説明図である。
【図７】（ａ）は、従来の照明器具の部分切欠図であり、（ｂ）は、概略断面図である。
【図８】従来の照明器具のルーバの仮吊り時の説明図である。
【図９】（ａ）は、従来の照明器具において紐体が正しい位置に位置している状態の下面図であり、（ｂ）は、従来の照明器具において紐体がルーバからはみ出している状態の下面図である。
【図１０】従来の他の照明器具の分解斜視図である。
【図１１】（ａ）〜（ｃ）は、従来の他の照明器具におけるルーバの取り付け方法の説明図であり、（ｄ），（ｅ）は、従来の他の照明器具におけるルーバの取り外し方法の説明図である。
【符号の説明】
【００８６】
１    照明器具
２    器具本体
４ｂ  第１連結部
５    ルーバ
５０  反射部材
５１  遮光板
５１ａ  第２連結部
６    紐体
【図１】
2008059939.tif 000003
【図２】
2008059939.tif 000004
【図３】
2008059939.tif 000005
【図４】
2008059939.tif 000006
【図５】
2008059939.tif 000007
【図６】
2008059939.tif 000008
【図７】
2008059939.tif 000009
【図８】
2008059939.tif 000010
【図９】
2008059939.tif 000011
【図１０】
2008059939.tif 000012
【図１１】
2008059939.tif 000013